(57)【要約】【課題】複数の物品に個別に貼付されたＲＦＩＤタグが保持する情報の読み取りを効率的に行うことが可能な無線タグ読取装置、プログラム及び無線タグ読取システムを提供する。【解決手段】複数の物品に個別に貼付された無線タグと交信するための電波を放射し、当該電波に応答した無線タグの各々から、当該無線タグを識別するタグ識別子を読み取る読取手段と、前記各物品に貼付された無線タグのうち、他の装置で欠品とされた物品のタグ識別子を記録した欠品リストを上位装置から受信する受信手段と、前記読取手段で読み取られたタグ識別子のうち、前記欠品リストに登録されたタグ識別子と同一のタグ識別子が存在するか否かを判定する判定手段と、前記判定手段が同一と判定したタグ識別子を前記上位装置に送信する送信手段と、を備える。【選択図】図１
2011191818.tif 000002
【特許請求の範囲】
【請求項１】
複数の物品に個別に貼付された無線タグと交信するための電波を放射し、当該電波に応答した無線タグの各々から、当該無線タグを識別するタグ識別子を読み取る読取手段と、
前記各物品に貼付された無線タグのうち、他の装置で欠品とされた物品のタグ識別子を記録した欠品リストを上位装置から受信する受信手段と、
前記読取手段で読み取られたタグ識別子のうち、前記欠品リストに登録されたタグ識別子と同一のタグ識別子が存在するか否かを判定する判定手段と、
前記判定手段が同一と判定したタグ識別子を前記上位装置に送信する送信手段と、
を備えたことを特徴とする無線タグ読取装置。
【請求項２】
前記判定手段が同一と判定したタグ識別子を、前記受信手段が受信した欠品リスト中から削除する削除手段を更に備えたことを特徴とする請求項１に記載の無線タグ読取装置。
【請求項３】
前記判定手段の判定結果を報知する報知手段を更に備えたことを特徴とする請求項１又は２に記載の無線タグ読取装置。
【請求項４】
前記複数の物品は、搬送用キャリアに積載された状態で移動され、
前記他の装置は、前記搬送用キャリアが通過するゲート型の無線タグ読取装置であることを特徴とする請求項１〜３の何れか一項に記載の無線タグ読取装置。
【請求項５】
複数の物品に個別に貼付された無線タグと交信するための電波を放射し、当該電波に応答した無線タグの各々から、当該無線タグを識別するタグ識別子を読み取る読取手段を備えた無線タグ読取装置のコンピュータを、
前記各物品に貼付された無線タグのうち、他の装置で欠品とされた物品のタグ識別子を記録した欠品リストを上位装置から受信する受信手段と、
前記読取手段で読み取られたタグ識別子のうち、前記欠品リストに登録されたタグ識別子と同一のタグ識別子が存在するか否かを判定する判定手段と、
前記判定手段が同一と判定したタグ識別子を前記上位装置に送信する送信手段と、
して機能させるためのプログラム。
【請求項６】
複数の物品が積載された搬送用キャリアが通過するゲート装置と、前記各物品に係る情報を管理する情報管理装置と、携帯可能な無線タグ読取装置とを有する無線タグ読取システムであって、
前記ゲート装置は、
前記搬送用キャリアに積載された物品に対し、当該物品に個別に貼付された無線タグと交信するための電波を放射し、この電波に応答した無線タグの各々から当該無線タグを識別するタグ識別子を読み取る第１読取手段を備え、
前記情報管理装置は、
前記複数の物品に貼付された無線タグのタグ識別子を登録した配送管理テーブルを記憶する記憶手段と、
前記第１読取手段が読み取った各タグ識別子と、前記配送管理テーブルに登録された各タグ識別子とを比較し、不対のタグ識別子のみを登録した欠品リストを生成する生成手段と、
を備え、
前記無線タグ読取装置は、
前記複数の物品に個別に貼付された無線タグと交信するための電波を放射し、当該電波に応答した無線タグの各々から前記タグ識別子を読み取る第２読取手段と、
前記情報管理装置から前記欠品リストを受信する受信手段と、
前記第２読取手段で読み取られたタグ識別子のうち、前記欠品リストに登録されたタグ識別子と同一のタグ識別子が存在するか否かを判定する判定手段と、
前記判定手段が同一と判定したタグ識別子を前記情報管理装置に送信する送信手段と、
を備えたことを特徴とする無線タグ読取システム。
【発明の詳細な説明】
【技術分野】
【０００１】
本発明は、無線タグに保持された情報の読み取りを行う無線タグ読取装置、プログラム及び無線タグ読取システムに関する。
【背景技術】
【０００２】
従来、物流業においては、管理対象となる物品に所定の管理情報を記憶した無線タグを貼付し、これら物品を積載したカゴ車等の配送用キャリアを、無線タグと交信可能なアンテナを取付けたゲートを通過させて管理情報を非接触で読み取ることで、個々の物品の流通過程等を管理するシステムが用いられている。例えば、特許文献１には、配送用キャリアのゲートへの進入及び通過を検出し、この検出信号に応じて無線タグとの交信を非接触で行うシステムが開示されている。
【発明の概要】
【発明が解決しようとする課題】
【０００３】
しかしながら、上記システムでは、無線タグが貼付される物品の材質や物品の積み方等によっては、一度のゲートの通過で配送用キャリアに積載された全ての物品の無線タグを読み取れない場合がある。このような場合、配送用キャリアを再度ゲートに通過させ、全ての物品の無線タグが読み取れるまで作業を繰り返す必要があるため、非効率的であるという問題がある。
【０００４】
本発明は上記に鑑みてなされたものであって、複数の物品に個別に貼付されたＲＦＩＤタグが保持する情報の読み取りを効率的に行うことが可能な無線タグ読取装置、プログラム及び無線タグ読取システムを提供することを目的とする。
【課題を解決するための手段】
【０００５】
上述した課題を解決し、目的を達成するために、本発明は、複数の物品に個別に貼付された無線タグと交信するための電波を放射し、当該電波に応答した無線タグの各々から、当該無線タグを識別するタグ識別子を読み取る読取手段と、前記各物品に貼付された無線タグのうち、他の装置で欠品とされた物品のタグ識別子を記録した欠品リストを上位装置から受信する受信手段と、前記読取手段で読み取られたタグ識別子のうち、前記欠品リストに登録されたタグ識別子と同一のタグ識別子が存在するか否かを判定する判定手段と、前記判定手段が同一と判定したタグ識別子を前記上位装置に送信する送信手段と、を備える。
【０００６】
また、本発明は、複数の物品に個別に貼付された無線タグと交信するための電波を放射し、当該電波に応答した無線タグの各々から、当該無線タグを識別するタグ識別子を読み取る読取手段を備えた無線タグ読取装置のコンピュータを、前記各物品に貼付された無線タグのうち、他の装置で欠品とされた物品のタグ識別子を記録した欠品リストを上位装置から受信する受信手段と、前記読取手段で読み取られたタグ識別子のうち、前記欠品リストに登録されたタグ識別子と同一のタグ識別子が存在するか否かを判定する判定手段と、前記判定手段が同一と判定したタグ識別子を前記上位装置に送信する送信手段と、して機能させる。
【０００７】
また、本発明は、複数の物品が積載された搬送用キャリアが通過するゲート装置と、前記各物品に係る情報を管理する情報管理装置と、携帯可能な無線タグ読取装置とを有する無線タグ読取システムであって、前記ゲート装置は、前記搬送用キャリアに積載された物品に対し、当該物品に個別に貼付された無線タグと交信するための電波を放射し、この電波に応答した無線タグの各々から当該無線タグを識別するタグ識別子を読み取る第１読取手段を備え、前記情報管理装置は、前記複数の物品に貼付された無線タグのタグ識別子を登録した配送管理テーブルを記憶する記憶手段と、前記第１読取手段が読み取った各タグ識別子と、前記配送管理テーブルに登録された各タグ識別子とを比較し、不対のタグ識別子のみを登録した欠品リストを生成する生成手段と、を備え、前記無線タグ読取装置は、前記複数の物品に個別に貼付された無線タグと交信するための電波を放射し、当該電波に応答した無線タグの各々から前記タグ識別子を読み取る第２読取手段と、前記情報管理装置から前記欠品リストを受信する受信手段と、前記第２読取手段で読み取られたタグ識別子のうち、前記欠品リストに登録されたタグ識別子と同一のタグ識別子が存在するか否かを判定する判定手段と、前記判定手段が同一と判定したタグ識別子を前記情報管理装置に送信する送信手段と、を備える。
【発明の効果】
【０００８】
本発明によれば、複数の物品に個別に貼付されたＲＦＩＤタグが保持する情報の読み取りを効率的に行うことが可能な無線タグ読取装置、プログラム及び無線タグ読取システムを提供することができる。
【図面の簡単な説明】
【０００９】
【図１】図１は、配送管理システムの構成の一例を示す模式図である。
【図２】図２は、ホストサーバの要部構成を示すブロック図である。
【図３】図３は、配送管理ファイルの一例を示す図である。
【図４】図４は、欠品管理ファイルの一例を示す図である。
【図５】図５は、ＲＦＩＤタグの要部構成を示すブロック図である。
【図６】図６は、ゲートの要部構成を示すブロック図である。
【図７】図７は、ＲＦＩＤハンディ端末の要部構成を示すブロック図である。
【図８】図８は、ホストサーバとゲートとの間で行われる第１配送確認処理の手順を示すフローチャートである。
【図９】図９は、ホストサーバとＲＦＩＤハンディ端末との間で実行される第２配送確認処理の手順を示すフローチャートである。
【図１０】図１０は、ＲＦＩＤハンディ端末の表示部に表示される画面の一例を示す図である。
【図１１】図１１は、ＲＦＩＤハンディ端末の表示部に表示される画面の一例を示す図である。
【図１２】図１２は、ＲＦＩＤハンディ端末の表示部に表示される画面の一例を示す図である。
【図１３】図１３は、ＲＦＩＤハンディ端末の表示部に表示される画面の一例を示す図である。
【図１４】図１４は、ＲＦＩＤハンディ端末の表示部に表示される画面の一例を示す図である。
【図１５】図１５は、ＲＦＩＤハンディ端末の表示部に表示される画面の一例を示す図である。
【図１６】図１６は、ＲＦＩＤハンディ端末の表示部に表示される画面の一例を示す図である。
【発明を実施するための形態】
【００１０】
以下、図面を参照して本発明の実施形態について説明する。なお、以下に説明する実施形態では、本発明の無線タグ読取装置、プログラム及び無線タグ読取システムを、所定の配送先へ釣銭用の貨幣を配送する配送センターに設けられた配送管理システムに適用した例を説明するが、この実施形態に限定されるものではない。
【００１１】
図１は、本実施形態に係る配送管理システム１の構成の一例を示す模式図である。同図に示すように、配送管理システム１は、ホストサーバ１０と、ゲート４０と、ＲＦＩＤハンディ端末５０と、を有している。
【００１２】
ホストサーバ１０は、配送対象の物品に関するデータを記憶・管理するサーバ装置である。図２は、ホストサーバ１０の要部構成を示すブロック図である。同図に示すように、ホストサーバ１０は、制御部１１、操作部１２、表示部１３、通信インタフェース１４及び記憶部１５等を備えている。
【００１３】
制御部１１は、ＣＰＵ（Central  Processing  Unit）、ＲＯＭ（Read  Only  Memory）及びＲＡＭ（Random  Access  Memory）等で構成され、記憶部１５に記憶された所定のプログラムを実行することでホストサーバ１０の各部の動作を統括的に制御する。また、制御部１１は、ゲート４０と協働することで後述する第１配送確認処理を実行する。また、制御部１１は、ＲＦＩＤハンディ端末５０と協働することで後述する第２配送確認処理を実行する。
【００１４】
操作部１２は、キーボードやマウス等の入力デバイスを有し、この入力デバイスの操作に応じた操作信号を制御部１１に通知する。表示部１３は、ＬＣＤ（Liquid  Crystal  Display）等の表示デバイスを有し、制御部１１の制御に従い文字や画像を表示デバイスに表示する。通信インタフェース１４は、有線又は無線通信ネットワークを介してゲート４０及びＲＦＩＤハンディ端末５０と接続し、装置間で行われるデータ通信を制御する。
【００１５】
記憶部１５は、例えばＨＤＤ（Hard  Disk  Drive）やＳＳＤ（Solid  State  Drive）、フラッシュメモリ等であって、制御部１１が実行する各種プログラムや設定情報を予め記憶する。また、記憶部１５は、配送対象の物品に関する情報として、配送管理ファイル１５１及び欠品管理ファイル１５２を記憶する。
【００１６】
図３は、配送管理ファイル１５１の一例を示す図である。同図に示すように、配送管理ファイル１５１には、配送が行われる配送日と、配送先コース名称と、各配送先コースを識別するコースＩＤと、配送先コースに含まれる各配送先の配送先名称と、各配送先を識別する配送先ＩＤと、各配送先に配送される物品（後述する容器２０）の種別を表す容器種別と、その物品の配送数と、各物品に貼付された後述するＲＦＩＤタグ２１のタグＩＤと、後述する第１配送確認処理で用いるゲートチェック欄と、後述する第２配送確認処理で用いるハンディチェック欄とが関連付けて保持されている。
【００１７】
図３において、ゲートチェック欄及びハンディチェック欄は、タグＩＤ毎に設けられており、後述する第１配送確認処理、第２配送確認処理で存在が確認されたタグＩＤに、チェック済を表す情報（図中“Ｖ”）が登録されるよう構成されている。
【００１８】
図４は、欠品管理ファイル１５２の一例を示す図である。欠品管理ファイル１５２は、後述する第１配送確認処理でゲートチェック欄が未チェック（空欄）のタグＩＤが存在する場合、即ち欠品有りと判定された場合に生成される欠品リストであって、同図に示すように、配送日と、配送先コース名称と、コースＩＤと、配送先名称と、配送先ＩＤと、容器種別と、その容器種別の欠品数と、タグＩＤとが関連付けて保持されている。
【００１９】
欠品管理ファイル１５２を構成する項目のうち、配送日、配送先コース名称、コースＩＤ、配送先名称、配送先ＩＤ及び容器種別は、配送管理ファイル１５１に登録された情報に対応し、ゲートチェック欄が未チェックのタグＩＤに関連付けられた情報が登録される。また、タグＩＤには、ゲートチェック欄が未チェックのタグＩＤが登録される。
【００２０】
図１に戻り、本実施形態で配送の対象となる容器２０は、紙幣や硬貨を収納するための容器であって、所定の金額分の紙幣又は硬貨が予め収納されている。また、各容器２０には、所定の情報（後述するタグＩＤ等）を保持した非接触方式の無線タグであるＲＦＩＤタグ２１が予め貼付されている。
【００２１】
配送用キャリア３０には、配送日及び配送先コースが同一の各配送先に配送される複数の容器２０が積載される。そして、配送用キャリア３０は、所定の経路で移動され各容器２０の配送確認（後述する第１配送確認処理及び第２配送確認処理）のためゲート４０を通過する。
【００２２】
図５は、ＲＦＩＤタグ２１の要部構成を示すブロック図である。同図に示すように、ＲＦＩＤタグ２１は、アンテナ２１１とＩＣチップ２１２とを有している。ＩＣチップ２１２は、アンテナ２１１で受信した変調波の整流と安定化を行うことによりＩＣチップ２１２の各部に電源を供給する電源生成部２１３と、変調波を復調して制御部２１５へ送出する復調部２１４と、制御部２１５から送出されたデータを変調してアンテナ２１１に送出する変調部２１６と、復調部２１４で復調されたデータをメモリ部２１７に書込んだり、メモリ部２１７からデータを読み出して変調部２１６へ送出したりする制御部２１５と、ＥＥＰＲＯＭ等の不揮発性の書換え可能なメモリ部２１７とを備えている。
【００２３】
メモリ部２１７には、自己のＲＦＩＤタグ２１の製造段階で製造業者により割当てられた固有の識別子であるタグＩＤが記憶されている。また、メモリ部２１７には、任意のデータを書込むことができるユーザ領域が設けられており、当該ユーザ領域に任意のデータ（例えば、自己のＲＦＩＤタグ２１が貼付される容器２０の容器種別や当該容器２０の配送先ＩＤ等）を記憶する形態としてもよい。
【００２４】
図１に戻り、ゲート４０は、容器２０が積載された配送用キャリア３０が通過する通過ゲートであって、当該配送用キャリア３０の移動通路に設置されている。ゲート４０は、容器２０に貼付されたＲＦＩＤタグ２１と非接触で交信するためのアンテナ４１を複数個備え、配送用キャリア３０が通過する際に各容器２０のＲＦＩＤタグ２１からタグＩＤを読み取るよう構成されている。
【００２５】
図６は、ゲート４０の要部構成を示すブロック図である。同図に示すように、ゲート４０は、アンテナ４１と、ＲＦＩＤリーダライタ４２と、操作部４３と、表示部４４と、通信インタフェース４５と、記憶部４６と、制御部４７とを備えている。
【００２６】
アンテナ４１は、ＲＦＩＤリーダライタ４２の制御により変調波を発信し、この変調波を受信したＲＦＩＤタグ２１から発信される変調波を受信するものである。ＲＦＩＤリーダライタ４２は、アンテナ４１から発信される変調波が到達し得る交信領域内に存在するＲＦＩＤタグ２１のメモリ部２１７からタグＩＤ等を非接触で読み取ったり、メモリ部２１７のユーザ領域に所定のデータを非接触で書き込んだりする。
【００２７】
操作部４３は、各種キーやタッチパネル等の入力デバイスを有し、この入力デバイスの操作に応じた操作信号を制御部４７に通知する。表示部４４は、ＬＣＤ等の表示デバイスを有し、制御部４７の制御に従い文字や図形を表示する。通信インタフェース４５は、有線又は無線通信ネットワークを介してホストサーバ１０と接続し、装置間で行われるデータ通信を制御する。
【００２８】
記憶部４６は、例えばＨＤＤやＳＳＤ、フラッシュメモリ等であって、制御部４７が実行する各種プログラムや設定情報を予め記憶する。
【００２９】
制御部４７は、ＣＰＵ、ＲＯＭ及びＲＡＭ等で構成され、記憶部４６に記憶された所定のプログラムを実行することでゲート４０の各部の動作を統括的に制御する。また、制御部４７は、ホストサーバ１０と協働することで後述する第１配送確認処理を実行する。
【００３０】
図１に戻り、ＲＦＩＤハンディ端末５０は、配送センター内の従業者等により操作される携帯型の無線タグ読取装置である。本実施形態においてＲＦＩＤハンディ端末５０は、主にゲート４０での第１配送確認処理で読み込み不可（欠品有り）とされたＲＦＩＤタグ２１が存在する場合に使用される。
【００３１】
図７は、ＲＦＩＤハンディ端末５０の要部構成を示すブロック図である。同図に示すように、ＲＦＩＤハンディ端末５０は、アンテナ５１と、ＲＦＩＤリーダライタ５２と、操作部５３と、表示部５４と、通信インタフェース５５と、記憶部５６と、制御部５７とを備えている。
【００３２】
アンテナ５１は、ＲＦＩＤリーダライタ５２の制御により変調波を発信し、この変調波を受信したＲＦＩＤタグ２１から発信される変調波を受信するものである。ＲＦＩＤリーダライタ５２は、アンテナ５１から発信される変調波が到達し得る交信領域内に存在するＲＦＩＤタグ２１のメモリ部２１７からタグＩＤ等を非接触で読み取ったり、メモリ部２１７のユーザ領域に所定のデータを非接触で書き込んだりする。
【００３３】
操作部５３は、各種キーやタッチパネル等の入力デバイスを有し、この入力デバイスの操作に応じた操作信号を制御部５７に通知する。表示部５４は、ＬＣＤ等の表示デバイスを有し、制御部５７の制御に従い文字や図形を表示デバイスに表示する。通信インタフェース５５は、有線又は無線通信ネットワークを介してホストサーバ１０と接続し、装置間で行われるデータ通信を制御する。
【００３４】
記憶部５６は、例えばＨＤＤやＳＳＤ、フラッシュメモリ等であって、制御部５７が実行する各種プログラムや設定情報を予め記憶する。
【００３５】
制御部５７は、ＣＰＵ、ＲＯＭ、ＲＡＭ等で構成され、記憶部５６に記憶された所定のプログラムを実行することでＲＦＩＤハンディ端末５０の各部の動作を統括的に制御する。また、制御部５７は、ホストサーバ１０と協働することで、後述する第２配送確認処理を実行する。
【００３６】
以下、配送管理システム１の動作について説明する。まず、図８を参照して、ホストサーバ１０とゲート４０との間で行われる第１配送確認処理の動作について説明する。
【００３７】
ゲート４０の制御部４７では、操作部４３を介して特定の配送日時及びコースＩＤの入力を受け付けると、この配送日時及びコースＩＤの組をＲＡＭ等に保持する（ステップＳ１１）。次いで、入力を受け付けた配送日時及びコースＩＤに対応する配送用キャリア３０がゲート４０を通過すると、制御部４７は、アンテナ４１及びＲＦＩＤリーダライタ４２を介して各容器２０に貼付されたＲＦＩＤタグ２１からタグＩＤを読み取る（ステップＳ１２）。続いて、制御部４７は、ステップＳ１２で読み取ったタグＩＤ群を、ステップＳ１１で受け付けた配送日時及びコースＩＤの組とともにホストサーバ１０へ送信する（ステップＳ１３）。
【００３８】
一方、ホストサーバ１０の制御部１１では、ゲート４０からタグＩＤ群と、配送日時及びコースＩＤの組とを受信すると、この配送日時及びコースＩＤの組に対応するレコードを配送管理ファイル１５１から特定する（ステップＳ２１）。続いて、制御部１１は、特定したレコードに含まれる各タグＩＤと、受信した各タグＩＤとを比較し（ステップＳ２２）、一致したタグＩＤ、つまり一対となったタグＩＤについては、レコード中の対応するゲートチェック欄にチェック済を表す情報“Ｖ”を登録する（ステップＳ２３）。
【００３９】
続いて、制御部１１は、ステップＳ２１で特定したレコード中の全てのゲートチェック欄にチェック済を表す情報“Ｖ”が登録されているか否かを判定する（ステップＳ２４）。ここで、全てのゲートチェック欄にチェック済を表す情報が記録されていると判定した場合（ステップＳ２４；Ｙｅｓ）、制御部１１は、“欠品無し”を意味する応答情報をゲート４０に送信し（ステップＳ２５）、処理を終了する。
【００４０】
また、ステップＳ２４において、全てのゲートチェック欄にチェック済を表す情報が登録されていないと判定した場合（ステップＳ２４；Ｎｏ）、制御部１１は、同一の配送先ＩＤ及び容器種別毎に未チェックのゲートチェック欄の個数を計数し、この値を欠品数として導出する（ステップＳ２６）。次いで、制御部１１は、特定したレコード中から未チェックのゲートチェック欄に関連付けられた情報を抽出し、対応する配送先ＩＤ及び容器種別に欠品数を関連付けた欠品管理ファイル１５２を生成する（ステップＳ２７）。そして、制御部１１は、“欠品有り”を意味する応答情報をゲート４０に送信し（ステップＳ２８）、処理を終了する。
【００４１】
ゲート４０の制御部４７では、ホストサーバ１０から応答情報を受信すると、この応答情報を表示部４４に表示させた後（ステップＳ１４）、処理を終了する。
【００４２】
ところで、ゲート４０によるＲＦＩＤタグ２１の読み取りでは、配送用キャリア３０に積載された全ての容器２０からタグＩＤを読み取ることができない場合がある。例えば、ＲＦＩＤタグ２１が貼付される容器２０の材質や、容器２０に収容される硬貨（金属）、容器２０の積み方等の影響により、アンテナ４１からの電波（変調波）が全てのＲＦＩＤタグ２１の応答可能な強度に到達しない場合がある。
【００４３】
そこで、本実施形態では、第１配送確認処理により欠品有りと判定された場合に、ＲＦＩＤハンディ端末５０を用いて、第２配送確認処理を実行することで、欠品分の容器２０の再確認を行う。以下、図９を参照して第２配送確認処理について説明する。
【００４４】
図９は、ホストサーバ１０とＲＦＩＤハンディ端末５０との間で実行される第２配送確認処理の手順を示すフローチャートである。まず、ＲＦＩＤハンディ端末５０の制御部５７では、操作部５３を介して、第１配送確認処理で欠品有りと判定された配送日時及びコースＩＤの入力を受け付けると、この配送日時及びコースＩＤの組をＲＡＭ等に保持する（ステップＳ３１）。続いて、制御部５７は、ステップＳ３１で保持した配送日時及びコースＩＤの組をホストサーバ１０に送信する（ステップＳ３２）。
【００４５】
一方、ホストサーバ１０の制御部１１では、ＲＦＩＤハンディ端末５０から配送日時及びコースＩＤの組を受信すると、この組に対応する欠品管理ファイル１５２を読み出し、ＲＦＩＤハンディ端末５０に送信する（ステップＳ４１）。このとき、欠品管理ファイル１５２以外の情報を送信する形態としてもよく、例えば、配送管理ファイル１５１に基づいて、各配送先ＩＤの容器種別毎の配送数や、当該配送数の合計値等を欠品管理ファイル１５２とともにＲＦＩＤハンディ端末５０へ送信する形態としてもよい。なお、ＲＦＩＤハンディ端末５０の制御部５７では、ホストサーバ１０から欠品管理ファイル１５２等を受信すると、図示しないＲＡＭ等に一時記憶する。
【００４６】
続いて、ＲＦＩＤハンディ端末５０が操作され、ゲート４０を通過した容器２０の近傍にかざされると、ＲＦＩＤハンディ端末５０の制御部５７は、ＲＦＩＤリーダライタ５２で読み取られたタグＩＤを取得し、これらタグＩＤをＲＡＭ等に一時記憶する（ステップＳ３３）。
【００４７】
次いで、制御部５７は、一時記憶した各タグＩＤと、欠品管理ファイル１５２に登録されたタグＩＤとを比較し（ステップＳ３４）、一致するタグＩＤが存在しないと判定した場合には（ステップＳ３５；Ｎｏ）、ステップＳ３３に再び戻る。また、ステップＳ３５において、一致するタグＩＤが存在すると判定した場合（ステップＳ３５；Ｙｅｓ）、制御部５７は、欠品管理ファイル１５２から一致したタグＩＤを削除するとともに、当該タグＩＤに関連付けられた欠品数を削除した数だけ減算することで、欠品管理ファイル１５２を更新する（ステップＳ３６）。そして、制御部５７は、一致したタグＩＤをステップＳ３１で受け付けた配送日時及びコースＩＤの組とともにホストサーバ１０に送信し（ステップＳ３７）、ステップＳ３８に移行する。
【００４８】
一方、ホストサーバ１０の制御部１１では、ＲＦＩＤハンディ端末５０からタグＩＤと、配送日時及びコースＩＤの組とを受信すると、この配送日時及びコースＩＤの組で特性される配送管理ファイル１５１のレコード中の対応するタグＩＤに関連付けられたハンディチェック欄にチェック済を表す情報“Ｖ”を登録する（ステップＳ４２）。次いで、制御部１１は、受信した配送日時及びコースＩＤの組で特性される配送管理ファイル１５２中の対応するタグＩＤを削除するとともに、当該タグＩＤに関連付けられた欠品数を削除した数だけ減算することで、欠品管理ファイル１５２を更新し（ステップＳ４３）、処理を終了する。
【００４９】
続いて、ＲＦＩＤハンディ端末５０の制御部５７は、欠品管理ファイル１５２に登録された全ての欠品数が“０”になったか否かを判定し、否と判定した場合には（ステップＳ３８；Ｎｏ）、ステップＳ３３に再び戻る。また、欠品管理ファイル１５２に記録された全ての欠品数が“０”と判定した場合（ステップＳ３８；Ｙｅｓ）、“欠品無し”を表す情報を表示部４４に表示させた後（ステップＳ３９）、処理を終了する。
【００５０】
以下、図１０〜図１６を参照して、上述した第２配送確認処理の動作を、ＲＦＩＤハンディ端末５０の表示部５４に表示される画面遷移に基づいて説明する。ここで、図１０〜図１６は、ＲＦＩＤハンディ端末５０の表示部５４に表示される画面の一例を示す図である。なお、ホストサーバ１０からは、欠品管理ファイル１５２以外に各配送先ＩＤの容器種別毎の配送数や、当該配送数の合計値が送信されているものとする。
【００５１】
まず、制御部５７は、第２配送確認処理の実行に際し、図１０に示すように、欠品管理ファイル１５２の取得に必要な配送日時及びコースＩＤの入力を促す画面を表示部５４に表示させる。ここで、領域Ａ１１は配送日時の入力が行われる領域であり、領域Ａ１２はコースＩＤの入力が行われる領域である。ＲＦＩＤハンディ端末５０の操作者は、領域Ａ１１及びＡ１２に対し、操作部５３を介して所望の配送日時及びコースＩＤを入力することが可能となっている。
【００５２】
配送日時及びコースＩＤが入力された後、確定ボタンＢ１１が押下されると、制御部５７は、入力された配送日時及びコースＩＤの組に対応する欠品管理ファイル１５２等をホストサーバ１０から取得する。なお、戻るボタンＢ１２が押下された場合、制御部５７は、入力された配送日時及びコースＩＤをクリアする。
【００５３】
制御部５７は、ホストサーバ１０から欠品管理ファイル１５２等を取得すると、取得した情報を図１１に示すように表示部５４に表示させる。図１１において、領域Ａ１３には、領域Ａ１１に入力されたコースＩＤに対応する配送先コース名称が表示される。また、領域Ａ１４には、欠品管理ファイル１５２に登録された欠品数の合計値が不足容器数として表示される。また、領域Ａ１５には、ＲＦＩＤハンディ端末５０を用いて読み取られたタグＩＤの総数、即ち制御部５７が一時記憶したタグＩＤの総数が読取数として表示される。また、領域Ａ１６には、ステップＳ３５で一致するすると判定されたタグＩＤの総数が一致容器数として表示される。なお、画面右上の領域Ａ１７には、領域Ａ１３に表された配送先コース名称での各配送先に配送される容器２０の合計値と、この合計値から不足容器数を減算した値とが表示される。
【００５４】
図１１において、詳細ボタンＢ１３は、配送先毎の不足容器数の状態を表示させるためのボタンであって、操作部５３を介し詳細ボタンＢ１３が押下されると、制御部５７は、欠品管理ファイル１５２に登録された各配送先ＩＤに基づき、図１２に示すような画面を表示部５４に表示させる。なお、中止ボタンＢ１４が押下された場合、制御部５７は、第２配送確認処理を中断し図１０の画面を表示する。
【００５５】
図１２において、領域Ａ１８には、欠品管理ファイル１５２に登録された各配送先ＩＤに対応する配送先名称がリスト表示される。この領域Ａ１８内に全ての配送先名称を表示できない場合には、前頁ボタンＢ１５又は次頁ボタンＢ１６を押下することで頁送りを行うことができる。なお、戻るボタンＢ１７が押下された場合、制御部５７は図１１の画面を再び表示させる。
【００５６】
領域Ａ１８に表示されたリストから一の配送先名称が選択され、確定ボタンＢ１８が押下されると、制御部５７は、この選択された配送先名称（配送先ＩＤ）に関連付けられた容器種別及び欠品数を欠品管理ファイル１５２から読み出し、図１３に示すような画面を表示部５４に表示させる。
【００５７】
図１３において、領域Ａ１９には、図１２のリストから選択された配送先名称が表示される。また、領域Ａ２０には、領域Ａ１９の配送先名称に関連付けられた容器種別と欠品数（不足容器数）とが表示される。この領域Ａ２０内に全ての容器種別及び欠品数の組を表示できない場合、前頁ボタンＢ１９又は次頁ボタンＢ２０を押下することで頁送りを行うことができる。なお、戻るボタンＢ２１が押下されると、制御部５７は図１２の画面を再び表示させる。
【００５８】
図１１に戻り、制御部５７は、ＲＦＩＤリーダライタ５２で読み取られたタグＩＤを取得し一時記憶を行うと、図１４に示すように、この一時記憶したタグＩＤの個数を領域Ａ１５に表示させる。なお、図１４の例では、５つのタグＩＤが読み取られた（一時記憶された）ことを表している。
【００５９】
また、制御部５７は、一時記憶したタグＩＤ中にステップＳ３５の条件に合致するタグＩＤが存在すると判定すると、図１５に示すように、その合致したタグＩＤの個数を一致容器数として領域Ａ１６に表示させる。なお、図１５の例では、７つのタグＩＤの読み取りが完了した時点で、一つのタグＩＤがステップＳ３５の条件に合致したことを表している。なお、図１５では、領域Ａ１４の表示を固定した形態としているが、条件に合致したタグＩＤの個数を、更新した欠品管理ファイル１５２に基づいて切り替える形態としてもよい。
【００６０】
そして、制御部５７は、欠品管理ファイル１５２に記録された全ての欠品数が“０”になったかと判定すると、図１６に示すように、“欠品無し”を表す情報を領域Ａ２１に表示させる。なお、図１６の確定ボタンＢ２２が押下された場合、制御部５７は、図１０の画面を再び表示させるものとする。
【００６１】
以上のように、本実施形態によれば、ゲート４０での読み取りで存在を確認することができなかった各容器２０についての欠品管理ファイル１５２（欠品リスト）を生成し、この欠品管理ファイル１５２に基づいて、複数の容器２０の中から該当する容器２０を、ＲＦＩＤハンディ端末５０を用いて探し出すことができる。これにより、配送用キャリア３０を再度ゲート４０に通過させたり、容器２０の配置位置を変更したりする必要がなくなるため、複数の容器２０に個別に貼付されたＲＦＩＤタグ２１が保持する情報の読み取りを効率的に行うことができる。また、第２配送確認処理で得られた結果を表示部５４に表示することで、ＲＦＩＤタグ２１の読み取り状況をＲＦＩＤハンディ端末５０の操作者に報知することができるため、ＲＦＩＤハンディ端末５０の操作者の利便性を向上させることができる。
【００６２】
また、ホストサーバ１０において、各欠品管理処理で存在が確認されたＲＦＩＤタグ２１のタグＩＤを個別に管理することで、読み取りエラーが発生するＲＦＩＤタグ２１を容易に特定することができるため、各ＲＦＩＤタグ２１の応答状態を統括的に確認・管理することができる。
【００６３】
以上、本発明の実施の形態について説明したが、本発明はこれに限定されるものではなく、本発明の主旨を逸脱しない範囲での種々の変更、置換、追加等が可能である。
【００６４】
例えば、上記実施形態では、ゲート４０の操作部４３又はＲＦＩＤハンディ端末５０の操作部５３を介して特定の配送日時及びコースＩＤが入力される形態としたが、これに限らないものとする。例えば、配送用キャリア３０に特定の配送日時及びコースＩＤを記憶したＲＦＩＤタグ２１を貼付しておき、このＲＦＩＤタグ２１から配送日時及びコースＩＤの組を読み取ることで、この配送日時及びコースＩＤの組の入力を受け付ける形態としてもよい。
【００６５】
また、上記実施形態では、ホストサーバ１０に記憶された欠品管理ファイル１５２をＲＦＩＤハンディ端末５０が取得する形態としたがこれに限らず、欠品管理ファイル１５２を生成した時点でホストサーバ１０からＲＦＩＤハンディ端末５０に送信する形態としてもよい。また、ゲート４０又はＲＦＩＤハンディ端末５０が、ホストサーバ１０の機能を有する形態としてもよい。
【００６６】
また、上記実施形態では、図１４〜図１６に示したように、第２配送確認処理で得られた結果を表示部５４に表示することで、ＲＦＩＤタグ２１の読み取りに係る状態をＲＦＩＤハンディ端末５０の操作者に報知する形態としたが、報知方法はこれに限らないものとする。例えば、ＲＦＩＤハンディ端末５０が、音声出力可能な音声出力デバイスを具備する場合、ＲＦＩＤリーダライタ５２で読み取りが行われる毎や、一致容器数を増加させる毎、全ての欠品数が“０”となった場合に、その旨を表すビープ音等を出力することで、ＲＦＩＤタグ２１の読み取りに係る状態をＲＦＩＤハンディ端末５０の操作者に報知する形態としてもよい。
【００６７】
また、上記実施形態の各装置（ホストサーバ１０、ゲート４０、ＲＦＩＤハンディ端末５０）で実行されるプログラムは、各装置が備えるＲＯＭ等の記録媒体に予め記録された状態で提供されるものとするが、これに限らず、インストール可能な形式又は実行可能な形式のファイルでＣＤ−ＲＯＭ、フレキシブルディスク（ＦＤ）、ＣＤ−Ｒ、ＤＶＤ等の記録媒体に記録されて提供されてもよい。
【００６８】
また、上記プログラムを、インターネット等のネットワークに接続されたコンピュータ上に格納し、ネットワーク経由でダウンロードさせることにより提供するように構成してもよい。また、上記プログラムをインターネット等のネットワーク経由で提供又は配布するように構成してもよい。
【符号の説明】
【００６９】
１  配送管理システム
１０  ホストサーバ
１１  制御部
１２  操作部
１３  表示部
１４  通信インタフェース
１５  記憶部
１５１  配送管理ファイル
１５２  欠品管理ファイル
２０  容器
２１  ＲＦＩＤタグ
２１１  アンテナ
２１２  ＩＣチップ
２１３  電源生成部
２１４  復調部
２１５  制御部
２１６  変調部
２１７  メモリ部
３０  配送用キャリア
４０  ゲート
４１  アンテナ
４２  ＲＦＩＤリーダライタ
４３  操作部
４４  表示部
４５  通信インタフェース
４６  記憶部
４７  制御部
５０  ＲＦＩＤハンディ端末
５１  アンテナ
５２  ＲＦＩＤリーダライタ
５３  操作部
５４  表示部
５５  通信インタフェース
５６  記憶部
５７  制御部
【先行技術文献】
【特許文献】
【００７０】
【特許文献１】特開２００３−３２７３３１公報
【図１】
2011191818.tif 000003
【図２】
2011191818.tif 000004
【図３】
2011191818.tif 000005
【図４】
2011191818.tif 000006
【図５】
2011191818.tif 000007
【図６】
2011191818.tif 000008
【図７】
2011191818.tif 000009
【図８】
2011191818.tif 000010
【図９】
2011191818.tif 000011
【図１０】
2011191818.tif 000012
【図１１】
2011191818.tif 000013
【図１２】
2011191818.tif 000014
【図１３】
2011191818.tif 000015
【図１４】
2011191818.tif 000016
【図１５】
2011191818.tif 000017
【図１６】
2011191818.tif 000018